(57)【要約】      （修正有）【課題】再封性があって、内容物を飲み残して保存することができ、飲料以外の麺つゆ、餃子のたれ等のような商品を充填するのに適した密封容器を提供すること。【解決手段】密封容器は、注出用パイプと、両面にプラスチック層を有する一枚の紙主体積層体製の容器素材を筒状としてその両端部を折畳んで閉じることにより成形されたパイプ差込孔を有する容器本体と、再封性のある密封容器とすることができるキャップとを備え、注出用パイプがパイプ差込孔に差し込まれた状態で、キャップが容器を再封することができるようになされている密封容器であって、パイプが、パイプ差込孔に差し込まれた状態で保持するためのフランジ、好ましくは、パイプ外面の上端近くに上下に設けられた大小のフランジと、フランジのすぐ下にあけられた孔を有している。【選択図】図１
2006096421.tif 000002
【特許請求の範囲】
【請求項１】
注出用パイプと、両面にプラスチック層を有する一枚の紙主体積層体製の容器素材を筒状としてその両端部を折畳んで閉じることにより成形されたパイプ差込孔を有する容器本体と、再封性のある密封容器とすることができるキャップとを備え、注出用パイプがパイプ差込孔に差し込まれた状態で、キャップが容器を再封することができるようになされている密封容器であって、
パイプが、パイプ差込孔に差し込まれた状態で保持するためのフランジと、フランジのすぐ下にあけられた孔を有することを特徴とする密封用容器。
【請求項２】
フランジが、パイプ外面の上端近くに上下に設けられた大小のフランジであることを特徴とする請求項１記載の密封容器。
【請求項３】
密封容器が、パイプをパイプ差込孔に差し込まれた状態で保持するための保持部材を備えており、保持部材の一端部が、パイプ差込孔の周縁部外面に固着されており、キャップが、保持部材の他端部に着脱自在に嵌め被せられるようになされていることを特徴とする請求項１又は２記載の密封容器。
【請求項４】
パイプが、易開封性袋に入れられた状態で容器外面所定か所に固着されていることを特徴とする請求項１〜３のいずれか記載の密封容器。
【発明の詳細な説明】
【技術分野】
【０００１】
本発明は、清涼飲料類を始めとして、麺つゆ、餃子のたれ等を密封するために適した密封容器に関する。
【背景技術】
【０００２】
この種の容器としては、とくに、約１００ｍ１〜３００ｍｌの容量の比較的の少ない容器ではストローを用いて飲料する場合がほとんどであり、その一例としては、ストローおよびストロー差込孔を有しており、ストローが易開封性袋に入れられた状態で容器外面所定か所に固着されているものが知られている。
【発明の開示】
【発明が解決しようとする課題】
【０００３】
上記の容器では、ストローをストロー差込孔に差込むことにより容器を開封しているが、容器を簡単に再封することができず、容器内に異物が入ることがある。そのため、容器を一旦開封し、飲み残しがあると、これは他の容器に移し替えるか、捨ててしまうしかなかった。
【０００４】
したがって、この種の容器に清涼飲料等を充填する場合は、一度に内容物の全量を一度に飲みきることが多く、このような場合はともかくとしても、麺つゆ、餃子のたれ等のように、一度に内容物の全量を使い切る場合の少ない内容物を充填するのには適していなかった。
【０００５】
この発明の目的は、再封性があって、内容物を飲み残して保存することができ、飲料以外の麺つゆ、餃子のたれ等のような商品を充填するのに適した密封容器を提供することにある。
【課題を解決するための手段】
【０００６】
この発明による密封容器は、注出用パイプと、両面にプラスチック層を有する一枚の紙主体積層体製の容器素材を筒状としてその両端部を折畳んで閉じることにより成形されたパイプ差込孔を有する容器本体と、再封性のある密封容器とすることができるキャップとを備え、注出用パイプがパイプ差込孔に差し込まれた状態で、キャップが容器を再封することができるようになされている密封容器であって、パイプが、パイプ差込孔に差し込まれた状態で保持するためのフランジ、好ましくは、パイプ外面の上端近くに上下に設けられた大小のフランジと、フランジのすぐ下にあけられた孔を有しているものである。
【０００７】
この発明による密封容器では、パイプをパイプ差込孔に差し込まれた状態で保持するための保持部材を備えており、保持部材の一端部が、パイプ差込孔の周縁部外面に固着されており、キャップが、保持部材の他端部に着脱自在に嵌め被せられるようになされているものが好ましく、保持部材からキャップを外し、パイプ保持孔を通じてパイプ差込孔にパイプを差し込めば、容器が開封されるし、保持部材にキャップを被せれば、容器が再封される。したがって、再封性があって、内容物を飲み残して保存することができ、飲料以外の麺つゆ、餃子のたれ等のような商品を充填することが可能となる。
【０００８】
容器の製造に際し、従来から用いられている包材を使用し、従来から用いられている充填包装機によって充填密封された最終形状の容器に、保持部材とキャップよりなる口栓を張り付けるだけで、再封性のある密封容器とすることができる。この場合、包材および充填包装機の改良が不要である。
【０００９】
また、パイプが易開封性袋に入れられた状態で容器外面所定か所に固着されていることが好ましい。
【００１０】
さらに、パイプが、先端をパイプ差込孔に臨ませた状態でパイプ保持孔に保持されており、キャップの押下げにより、パイプがパイプ差込孔に差込まれうるようになされていてもよい。
【発明の効果】
【００１１】
この発明によれば、再封性があって、内容物を飲み残して保存することができ、飲料以外の麺つゆ、餃子のたれ等のような商品を充填するのに適した密封容器が提供される。
【発明を実施するための最良の形態】
【００１２】
この発明の実施の形態を図面を参照してつぎに説明する。
【００１３】
図１を参照すると、容器１１は、縦長直方体状容器本体２１を有している。容器本体２１は、両面にプラスチック層を有する一枚の紙主体積層体製容器素材を、筒状としてその両端部を折畳んで閉じることにより形成されたものであって、頂壁３１、正面壁（図示略）、背面壁３２、左側壁（図示略）、右側壁３３および底壁（図示略）を有している。頂壁３１右端および右側壁３３上端には上三角耳３４が連なっており、これは、右側壁３３上に重ね合わされて固着されている。頂壁３１左端および左側壁上端には、左側壁上に固着された上三角耳（図示略）が連なっている。底壁両端と左右の側壁３３下端には一対の下三角耳（図示略）が連なっているが、これら下三角耳は、底壁上に固着されている。一方の上三角耳３４の先端から頂壁３１上を縦断して他方の上三角耳３４の先端までのびるように上横シール部３５が形成されているが、これは、筒状容器素材の上端を閉じた際に、生じたものである。筒状容器素材の下端を閉じた際には下横シール部（図示略）が生じているが、これは、一方の下三角耳の先端から底壁上を縦断して他方の下三角耳の先端までのびている。上横シール部３５の長さの中程から背面壁３２上を縦断して下横シール部の長さの中程までたて縦シール部３６がのびているが、これは、容器素材を筒状に成形した際に生じたものである。
【００１４】
頂壁３１における上横シール部３５および縦シール部３６によって区画された領域には円形状パイプ差込孔４１が形成されている。パイプ差込孔４１には筒状パイプ保持部材４２が取付けられている。パイプ保持部材４２の開口端にはキャップ４３が被せられている。背面壁３２の縦シール部３６左側には、パイプ４４が薄いビニール袋４５に入れられた状態で固着されている。
【００１５】
図２に概略示すように、パイプ差込孔４１は、容器素材の内側のプラスチック層のみを残して、外側のプラスチック層および紙層を除去することにより形成されたものである。容器素材として、一般に知られているストロー付容器を製造するための包材を用いれば、包材を改良することなく、ストローをほぼ隙間無くはめ入れるストロー孔を、そのままパイプ差込孔４１とすることができる。
【００１６】
パイプ保持部材４２は、ポリエチレンの一体成形によりつくられたもので、下端にフランジ５１を有している。フランジ５１には摘み５２が設けられている。フランジ５１の下面がパイプ差込孔４１の周縁部上面に固着されているが、摘み５２は固着されておらず、浮いた状態にしてある。摘み５２を摘んで引っ張り、パイプ保持部材４２を容器本体２１から引き剥がすようにすれば、容器本体２１およびパイプ保持部材４２の分別回収が行える。
【００１７】
パイプ保持部材４２内の高さの中程には水平状隔壁５３が設けられている。隔壁５３にはパイプ保持孔５４がパイプ差込孔４１と同心状に形成されている。パイプ保持孔５４の周面には環状溝５５が形成されている。パイプ保持部材４２の外面上部には雄ねじ５６が形成されている。
【００１８】
パイプ４４は、一般によく知られているストローのようなもので、外面の上端近くに上下に設けられた大小のフランジ６１、６２を有している。小フランジ６２のすぐ下には長孔６３があけられている。
【００１９】
キャップ４３のスカート内面には、雄ねじ５６にねじはめられた雌ねじ６４が形成されている。
【００２０】
容器の開封に際しては、容器本体２１からパイプ４４を袋４５とともに取り外して、袋４５を破ってパイプ４４を取り出す。これと前後して、パイプ保持部材４２からキャップ４３を外しておく。そして、パイプ４４をパイプ保持孔５４を通じてパイプ差込孔４１に差し込めば良い。隔壁５３上面に大フランジ６１が当接させられ、環状溝５５には小フランジ６２が係合させられる。
【００２１】
容器本体２１を逆さまにすれば、パイプ４４を通じて内容物が流出させられる。内容物が少量になった場合、長孔６３を通じて内容物が流出する。内容物を残したまま、容器の再封をする場合、パイプ保持部材４２にキャップ４３を被せればよい。
【００２２】
図４〜図６に、上記の容器とは別の他の実施の形態による容器が示されている。この実施の形態において、上記の容器と対応する部分には同一の符号を付すものとする。
【００２３】
容器本体２１は、上記のものと同一である。パイプ保持部材４２の高さは、上記のパイプ保持部材４２より高さが１．５倍程高くなっている。パイプ４４は、上記のパイプ４４よりはかなり短くて、パイプ保持部材４２の高さとほぼ同じ長さを有しており、パイプ保持部材４２内に収容されている。パイプ保持部材４２にはキャップ４３に加えて、キャップ４３の下側に上記の容器には無かったリング４６が被せられている。
【００２４】
パイプ保持部材４２は、上記のパイプ保持部材４２と基本的な構造は同じで、フランジ５１および隔壁５３を有している。フランジ５１には摘み５２が設けられている。隔壁５３にはパイプ保持孔５４が設けられ、これの周面には環状溝５５が形成されている。パイプ保持部材４２外面上部には雄ねじ５６が形成されている。
【００２５】
パイプ４４の上端には大フランジ６１が設けられるとともに、その下側に小フランジ６２が設けられ、この小フランジ６２の下側にさらにもう１つの小フランジ６５が追加されている。追加された下小フランジ６５の下側に長孔６３が設けられている。
【００２６】
キャップ４３のスカートは、パイプ保持部材４２の高さにほぼ等しい長さを有しており、これの内面全長にわたって雌ねじ６４が形成されている。キャップ４３の天井には垂下筒状部６６が設けられている。
【００２７】
リング４６は、弾性質プラスチックによって形成されたもので、縦割スリット７１を有している。スリット７１の一方の縁部に近接して摘み７２が設けられている。
【００２８】
図５において、パイプ４４は、パイプ保持孔５４に通されている。この状態で環状溝５５に下小フランジ６５が係合させられ、パイプ４４の下端は、パイプ差込孔４１のすぐ上に位置させられている。筒状部６６の下端は大フランジ６１の上面に当接させられている。この状態で雌ねじ６４はその下半分だけが雄ねじ５６にねじはめられている。
【００２９】
容器を開封する際は、パイプ保持部材４２からリング４６を取り外し、キャップ４３をねじ込んでいけばよい。そうすると、筒状部６６によってパイプ４４が押し下げられていく。
【００３０】
図６に示すように、大フランジ６１が隔壁５３に当接し、上小フランジ６２が環状溝５５に係合されるまで、パイプ４４が押し下げられると、パイプ４４がパイプ差込孔４１に差し込まれる。
【００３１】
パイプ保持部材４２からキャップ４３を取り外せば、容器が開封され、容器を再封するには、パイプ保持部材４２にキャップ４３を被せれば良い。
以下に、容器のバリエーションを列挙する。
【００３２】
上記において、容器の形態として、帯状包材より連続的に成形される、いわゆるブリック容器が記載されているが、その他、筒状のカートンから成形されるゲーブルトップ容器（フラットトップ容器も有る）等、容器の形状に関係無く本願発明は適用される。
【００３３】
積層体の例としては、上記した３層構造のものに、アルミニウム箔を含めてもよく、また、アルミニウム箔に代わり、合成樹脂製のバリヤ層を用いても良い。
【００３４】
パイプ差込孔の形成の仕方としては、上記した例のほかに、紙層のみを除去するようにした例や、パイプ差込孔の縁部にそってハーフカットを入れるようにした例もよく知られている。
【００３５】
パイプ差込孔の形状としては、上記した円形のほかに、変形楕円ないし長円にすることも考えられる。
リング４６はキャップ４３と別部材として記載されているが、リング４６とキャップ４３は一体成形しても良く、この場合、開封に際し、リング４６はキャップ４３から引きちぎられるようにすれば、一旦開封されたキャップ４３は、一目で見分けることができる。
【図面の簡単な説明】
【００３６】
【図１】この発明による容器の分解斜視図である。
【図２】密封時の同容器のパイプ差込孔周辺の垂直縦断面図である。
【図３】再封時の同容器のパイプ差込孔周辺の垂直縦断面図である。
【図４】この発明の他の実施の形態による容器の分解斜視図である。
【図５】密封時の同容器のパイプ差込孔周辺の垂直縦断面図である。
【図６】再封時の同容器のパイプ差込孔周辺の垂直縦断面図である。
【符号の説明】
【００３７】
４１  パイプ差込孔
４２  パイプ保持部材
４３  キャップ
４４  パイプ
４５  袋
５１  フランジ
５３  隔壁
５４  パイプ保持孔
【図１】
2006096421.tif 000003
【図２】
2006096421.tif 000004
【図３】
2006096421.tif 000005
【図４】
2006096421.tif 000006
【図５】
2006096421.tif 000007
【図６】
2006096421.tif 000008